(57)【要約】【課題】  鳥の鳥類忌避具上の停留を防止できる効果を有しつつも、鳥に対して与えるストレスが小さいという効果を有する鳥類忌避具を提供する。【解決手段】  平板状の基部１と、基部１の上面に設けられる複数条の突条部２，…とを備える鳥類忌避具であって、各突条部２，…は、同一または略同一の高さ寸法に設定され、且つ所定の間隔で並列に設けられることを特徴とする。【選択図】図１
2008113617.tif 000002
【特許請求の範囲】
【請求項１】
平板状の基部（１）と、基部（１）の上面に設けられる複数条の突条部（２，…）とを備える鳥類忌避具であって、各突条部（２）は、同一または略同一の高さ寸法に設定され、且つ所定の間隔で並列に設けられることを特徴とする鳥類忌避具。
【請求項２】
突条部（２，…）は、基部（１）側から先端側に向けて幅狭となる断面形状を有することを特徴とする請求項１に記載の鳥類忌避具。
【請求項３】
所定の忌避成分を有効成分とする揮発剤が、基部（１）及び／又は突条部（２，…）の少なくとも一部に含浸されることを特徴とする請求項１または２に記載の鳥類忌避具。
【請求項４】
揮発剤が含浸される部分の少なくとも一部に、該揮発剤が透過しつつも外部への放出を制限する膜（３）が被覆されることを特徴とする請求項３に記載の鳥類忌避具。
【発明の詳細な説明】
【技術分野】
【０００１】
本発明は、例えばカラス及びハトといった、鳥の飛来及び停留を防止する鳥類忌避具に関する。
【背景技術】
【０００２】
従来から、鳥類忌避具には、さまざまな形態のものがある。例えば、鳥の脚の長さより大きい高さ寸法を有する突起物をシート上に設け、鳥がシート上に止まろうとする際に、その突起物を鳥の胴体に接触させ、鳥を忌避させるもの（特許文献１参照）がある。また、アーチ状の障害物をシート上に設け、鳥がシート上を移動する際に、そのアーチを鳥の趾（足指）に引っ掛けさせ、鳥を忌避させるもの（特許文献２参照）もある。
【特許文献１】特開２００３−１４４０３６号公報
【特許文献２】特開２００１−１６１２５０号公報
【発明の開示】
【発明が解決しようとする課題】
【０００３】
しかしながら、シート上に突起物を設ける鳥類忌避具は、弾性を有するゴムを突起物に採用しても、鳥の胴体を突起物に接触及び摩擦させるため、鳥を負傷させることもある。また、アーチ状の障害物をシート上に設ける鳥類忌避具は、鳥が勢いよく飛び立つ際に趾を引っ掛けることもあるため、鳥を負傷させることもある。
【０００４】
本発明は、斯かる事情に鑑み、鳥の鳥類忌避具上の停留を防止できる効果を有しつつも、鳥に対して与えるストレスが小さい鳥類忌避具を提供しようとするものである。
【課題を解決するための手段】
【０００５】
本発明に係る鳥類忌避具は、平板状の基部１と、基部１の上面に設けられる複数条の突条部２，…とを備える鳥類忌避具であって、各突条部２は、同一または略同一の高さ寸法に設定され、且つ所定の間隔で並列に設けられることを特徴とする。
【０００６】
本発明に係る鳥類忌避具によれば、突条部２，…が、所定の間隔、即ち、鳥が鳥類忌避具上に止まろうとする際、鳥の趾（足指）が複数の突条部２，…に跨って接触するような間隔で配置されるため、鳥の趾は、複数の突条部２，…と必ず接触する。よって、突条部２，…の存在を鳥に認識させるため、鳥の趾が突条部２，…より上に位置する状態を維持させ、その結果、鳥の胴体と突条部２，…との接触を防止することができる。
【０００７】
また、鳥の趾が複数の突条部２，…に跨って接触するため、鳥の趾は、跨る突条部２，…間に位置する部分が空中に浮いた状態となり、その部分が基部１及び突条部２，…に接触しない。よって、鳥は、バランスをとって止まることが困難になるため、鳥類忌避具上に止まることを忌避する。
【０００８】
また、本発明に係る鳥類忌避具においては、突条部２，…は、基部１側から先端側に向けて幅狭となる断面形状を有することを採用することができる。このようにすれば、鳥が鳥類忌避具上に止まろうとしても、鳥の趾が突条部２，…の頂部付近とのみ接触するため、趾と突条部２，…との接触面積が小さくなり、その結果、鳥は、さらに、バランスをとって止まることができなくなる。よって、鳥の鳥類忌避具上の停留をより効果的に防止できる。
【０００９】
また、本発明に係る鳥類忌避具においては、所定の忌避成分を有効成分とする揮発剤が、基部１及び／又は突条部２，…の少なくとも一部に含浸されることを採用することができる。このようにすれば、所定の忌避成分、即ち、鳥が忌避する成分を有効成分として備えた揮発剤を鳥類忌避具の外部へ拡散作用により順次揮発できるため、鳥類忌避具付近の空中に揮発剤を存在させることができ、その結果、鳥が鳥類忌避具へ接近することを防止できる。
【００１０】
また、本発明に係る鳥類忌避具においては、揮発剤が含浸される部分の少なくとも一部に、該揮発剤が透過しつつも外部への放出を制限する膜３が被覆されることを採用することができる。このようにすれば、揮発剤の放出量を制限することができるため、揮発剤の消費量を減らすことができ、その結果、揮発剤による忌避効果を長期間持続させることができる。
【発明の効果】
【００１１】
本発明の鳥類忌避具によれば、突条部が同一または略同一の高さ寸法に設定され、且つ所定の間隔で並列に設けられるため、鳥の鳥類忌避具上の停留を防止できる効果を有しつつも、鳥に対して与えるストレスが小さいという優れた効果を奏し得る。
【発明を実施するための最良の形態】
【００１２】
以下、本発明に係る鳥類忌避具の一実施形態について、添付図面を参照して説明する。本実施形態は、ベランダの手すりの上面に鳥類忌避具を設置する場合を例とする。
【００１３】
まず、本実施形態に係る鳥類忌避具（以下、単に忌避具という。）は、図１に示すように、帯状の基部１と、基部１の上面に並列して設けられる直線状の突条部２，…と、基部１の下面に接着している固定手段４とを備える。
【００１４】
基部１は、一定の厚みをもち、且つベランダの手すりの上面に設置するため、手すりの上面の形状に合わせて帯状、即ち、長方形の形状を有する。
【００１５】
突条部２，…は、基部１側から先端側に向けて幅狭となる三角形の断面形状を有する。より詳細には、突条部２，…は、基部１に対して傾斜な面と垂直な面とで形成され、底角の一方が直角の三角形の断面形状を有する。そして、傾斜な面は、所定の間隔をおいて配置される隣の突条部２の垂直な面と、及び、垂直な面は、所定の間隔をおいて配置される隣の突条部２の傾斜な面と、対向するように配置される。さらに、突条部２，…は、所定の高さ寸法、即ち、鳥の脚の長さより小さい高さ寸法に設定される。より具体的には、突条部２，…は、鳥の脚の踵（二つ有る脚の関節の趾側、即ち、下方側）程度の高さを有する。そして、寸法的には、５〜２５ミリメートルである。
【００１６】
また、突条部２，…は、頂部からなる直線が鳥の趾（足指）の大きさより小さい間隔で略平行または平行となるように並列に配置される。そして、突条部２，…は、基部１の長手方向に対して傾斜して設けられる。
【００１７】
ここで、基部１及び突条部２，…は、本実施形態において、ポリウレタン樹脂の発泡体（ポリウレタンフォーム）で形成される。例えば、基部１及び突条部２，…は、ポリオール、イソシアネート、水、触媒及び整泡剤といった、ポリウレタンフォームの原料を混合し、そして、撹拌した後、金型に注入して一体成形される。なお、基部１及び突条部２，…を別工程で成形した後、突条部２，…を基部１に接着して一体化してもよい。
【００１８】
また、基部１及び突条部２，…が多孔質材で形成されるため、基部１と突条部２，…との全体に揮発剤を含浸させる。揮発剤は、チオゲラニオールやルバフランといった、鳥が忌避する臭気成分を有効成分とする。
【００１９】
さらに、基部１の上面及び突条部２，…の表面は、膜３で被覆される。膜３は、ポリウレタンやポリエチレン等の多孔質材からなり、そして、揮発剤の透過を制限するため、基部１及び突条部２，…より、小さい平均細孔径となるように成形される。ここで、膜３は、あらかじめ金型内に材料となる塗料を塗布した後、基部１及び突条部２，…を、その金型で一体成形することにより、基部１の上面及び突条部２，…の表面を全部被覆する。なお、フィルム状に膜３を成形した後に、基部１の上面及び突条部２，…の表面に膜３を貼り付け、被覆してもよい。
【００２０】
固定手段４は、本実施形態において、平板状で、且つ、接着性能を両面に有する接着シート４とする。接着シート４の一方の面は、基部１の平坦な下面に接着される。また、接着シート４の他方の面には、手すりの上面等の被固定部と接着させるときまで、接着性能を保持させるため、簡易に外すことのできる剥離ライナー（図示しない）を貼付させる。なお、固定手段４は、接着剤でもよく、また、忌避具と被固定部とを締結する紐でもよい。
【００２１】
本実施形態に係る忌避具の構成に関する説明は、以上の通りで、次に、忌避具の作用について説明する。
【００２２】
まず、忌避具から剥離ライナーを外し、図２（ａ）に示すように、剥離ライナーが貼付していた接着シート４（図示しない）の面を手すりＢの上面に貼付し、接着させると、忌避具は、接着シート４を介してベランダの手すりＢに固定される。このとき、忌避具は、幅寸法が手すりＢの幅寸法と略同一になるような帯状のものを選定されるため、忌避具の長手方向の側縁と手すりＢの長手方向の側縁とを略平行になるように、即ち、略一致するように、設置される。また、手すりＢの上面の略全面に忌避具を設置するため、忌避具は、長手方向に複数連接される。なお、基部１の下面に接着シート４を接着させているため、ベランダの手すりＢに限らず、忌避具の設置場所を自由に選択することができる。
【００２３】
そして、忌避具を手すりＢに設置した後に、鳥が手すりＢの上面に止まろうとすると、鳥は、設置された忌避具の上に止まることになる。すると、図２（ｂ）に示すように、忌避具が鳥の趾Ｔ（足指）の大きさより小さい間隔で突条部２，…を備えるため、鳥の趾Ｔは、複数の突条部２，…に膜３（図示しない）を介して接触することになる（以下、膜３を介することを省略する。）。よって、鳥は、基部１に趾Ｔをそれ以上接近することが無いため、趾Ｔが突条部２，…より上に位置する状態を維持し、その結果、突条部２，…に胴体を接触することがない。
【００２４】
しかも、仮に、趾Ｔが突条部２，２同士の間に入り込み基部１と接触しても、突条部２，…の高さ寸法が鳥の脚の長さより小さいため、鳥は、突条部２，…に胴体を接触することがない。
【００２５】
ここで、木に止まることのできる鳥は、四本の趾Ｔを持つ。より具体的には、鳥は、前向きの趾Ｔが三本と後ろ向きの趾Ｔが一本とを持つ。そして、鳥は、地面や木に止まる場合、地面や木に趾Ｔ全体を接触させるため、バランスがとれて、その結果、安定して立つこと、即ち、止まることができる。
【００２６】
しかし、突条部２，…の断面形状の先端部が鋭角を有するため、鳥の趾Ｔは、突条部２，…に接触できる部分が非常に小さい。しかも、鳥の趾Ｔが複数の突条部２，…に跨って接触するため、それらの突条部２，…の頂部間に位置する趾Ｔの部分が突条部２，…に接触することができず、その結果、鳥は、バランスをとって止まることができない。よって、鳥は、忌避具上に止まることを忌避するため、別の場所へ飛び立つ。
【００２７】
また、基部１及び突条部２，…に、含浸している揮発剤は、拡散作用により膜３を透過して外部に放出される。そして、揮発剤が揮発して忌避具の周辺に存在するため、鳥は、その揮発剤の持つ臭気を嫌がり、その結果、忌避具付近に近づかない。なお、揮発剤の透過を防止できる材質を接着シート４に使用すれば、接着シート４を透過して揮発剤を外部に放出するという不本意な揮発剤の放出を防止できる。
【００２８】
また、基部１及び突条部２，…が膜３で被覆されるため、膜３が揮発剤の外部への飛散の障害となり、その結果、揮発剤は、外部への飛散を制限される。ここで、膜３の材質や厚みを変更することで、膜３の揮発剤の透過率を調整することができる。つまり、揮発剤の外部への放出量を一定量に制限することができるため、揮発剤による忌避作用の効力の持続期間を引き伸ばすことができる。
【００２９】
以上より、本実施形態に係る鳥類忌避具は、所定の範囲内に突条部２，…を必ず備えた構造であるため、鳥が忌避具上に止まろうとすると、突条部２，…に必ず趾Ｔを接触させ、その結果、必要以上に鳥の胴体を突条部２，…に接近させることを防止できる。よって、鳥の胴体を突条部２，…に接触させることを防止できるため、忌避具は、過度のストレスを鳥に対して与えることを防止でき、且つ、鳥の忌避具上の停留を防止できる。
【００３０】
また、本実施形態に係る鳥類忌避具は、直角三角形の断面形状の突条部２，…を備えた構造であるため、鳥の趾Ｔが複数の突条部２，…に跨ると、鳥の趾Ｔ全体と突条部２，…との接触を防止でき、その結果、忌避具上で止まることを忌避するようなバランスを鳥に与える。よって、鳥が忌避具上に止まることを忌避するため、忌避具は、鳥の忌避具上の停留を防止できる。
【００３１】
また、本実施形態に係る鳥類忌避具は、鳥を忌避させる成分を有効成分とする揮発剤を基部１及び突条部２，…に含浸し、拡散作用により揮発剤を外部に放出する構造であるため、忌避剤３の忌避作用により鳥の忌避具への接近を防止できる。
【００３２】
また、本実施形態に係る鳥類忌避具は、揮発剤の透過を制限する膜３で被覆される構成であるため、揮発剤の外部への放出量を制限し、その結果、揮発剤の放出を長期間維持することができる。つまり、揮発剤による忌避効果を長期間持続させることができる。
【００３３】
また、本実施形態に係る鳥類忌避具は、突条部２，…が鳥の脚の長さより小さい高さ寸法に設定される構成であるため、鳥の胴体を突条部２，…に接触することを確実に防止できる。ここで、鳥の脚の長さが趾の大きさより通常大きいため、例えば、突条部２，２の頂部間の距離より突条部２の高さ寸法を小さくすることで、突条部２，…の高さ寸法を鳥の脚の長さより小さくすることができる。
【００３４】
また、ベランダの手すりＢが幅狭な形状であるため、鳥が両脚を接触させて手すりＢの上面に止まる場合、手すりＢの幅方向を前にして向く必要があり、その結果、鳥の両脚は、手すりＢの幅方向に対して略同位置に有する。そして、手すりＢの上面の側縁に忌避具の側縁を略一致させて設置するため、鳥の両脚は、忌避具の幅方向に対しても略同位置に有することになる。そして、突条部２，…の頂部からなる直線が長方形の基部１の側縁に鋭角または鈍角を形成して交差するため、鳥の趾Ｔと突条部２，…との接触を左右の脚で対照になることを防止できる。よって、本実施形態に係る鳥類忌避具は、突条部２，…が鋭角または鈍角で長方形の基部１の側縁と交差するように配置される構成であるため、鳥の左右の脚に相違するバランスを与え、その結果、鳥の忌避具上の停留を効果的に防止することができる。
【００３５】
また、本実施形態に係る鳥類忌避具は、突条部２，…が三角形の断面形状、即ち、突条部の先端部が角状の断面形状を有する構成であるため、鳥の趾Ｔと突条部２，…との接触面積を小さくでき、その結果、基部１及び突条部２，…に、接触しない鳥の趾Ｔの部分を生じやすくできる。よって、鳥の忌避具上の停留を効果的に防止することができる。
【００３６】
また、突条部２，…の頂部が鳥の自重で若干圧縮して変形するため、突条部２，…は、断面形状の三角形の頂角を小さい角度にした方が鳥の趾Ｔと変形後の突条部２，…との接触部分を小さくできる。しかし、頂角の角度を小さくするために突条部２，…の底角を鈍角にすると、突条部２，…は、鈍角方向に鳥の自重で倒伏しやすくなる。よって、本実施形態に係る鳥類忌避具は、底角の一つが直角の直角三角形を有する構成であるため、底角に鈍角を設けず、且つ頂角の角度を最大限小さくすることができ、その結果、突条部２は、倒伏しにくく、且つ鳥の趾との接触面積を小さくできる、即ち、鳥の忌避上の停留を効果的に防止することができる。
【００３７】
また、突条部２，…が弾性を有する材質であるため、鳥の自重によりある程度変形し、その結果、突条部２，…は、直角三角形の断面形状を有する場合、即ち、基部１に対して垂直な面と傾斜な面とからなる場合、垂直な面の方向に倒伏することが多い。そして、鳥の趾Ｔが、傾斜な面同士が対向する二つの突条部２，２に跨って止まった場合、突条部２，２同士が離れるようにして倒伏するため、鳥の趾Ｔは、複数の突条部２，…に跨って接触しないこともある。よって、本実施形態に係る鳥類忌避具は、突条部２，…の断面形状の直角三角形を形成する、基部１に対して傾斜な面と垂直な面とにおいて、傾斜な面と垂直な面とが交互に配置される構成であるため、鳥の趾Ｔが複数の突条部２，…に跨って接触することを確実にし、その結果、鳥の忌避上の停留を効果的に防止することができる。
【００３８】
なお、本発明の鳥類忌避具は、上記した実施の形態に限定されるものではなく、本発明の要旨を逸脱しない範囲内において種々変更を加え得ることは勿論である。
【００３９】
鳥類忌避具は、上記実施形態において、突条部が鳥の脚の長さより小さい高さ寸法で設定されることを例にとって説明したが、鳥の脚の長さより大きい高さ寸法で設定されてもよい。
【００４０】
また、上記実施形態において、突条部が基部の長手方向に対して傾斜して配置されることを例にとって説明したが、基部の長手方向に対して平行または垂直に配置されてもよい。
【００４１】
また、上記実施形態において、突条部が直角三角形の断面形状を有することを例にとって説明したが、鋭角三角形、鈍角三角形、または先端部が丸状の断面形状でもよい。
【００４２】
また、上記実施形態において、突条部の断面形状の直角三角形を形成する、基部に対して傾斜な面と垂直な面とにおいて、傾斜な面と垂直な面とが交互に配置されることを例にとって説明したが、傾斜な面同士が、及び／又は、垂直な面同士が所定の間隔をおき対向して配置されてもよい。
【００４３】
また、上記実施形態において、銀色のプラスチックフィルムや顔料といった、反射材を基部、突条部または膜に含ませてもよく、また、基部及び／又は突条部の、少なくとも一部をそのような反射材の塗料で被覆してもよい。そのようにすれば、鳥の視覚による忌避作用が生じるため、忌避具の忌避作用を大きくすることができる。
【００４４】
また、上記実施形態において、基部と突条部との材質がポリウレタンを例にとって説明したが、多孔質で、且つ揮発剤を含浸できる材質であればよい。
【００４５】
また、上記実施形態において、揮発剤がチオゲラニオールやルバフランの臭気成分を有効成分として備えることを例にとって説明したが、鳥が忌避する臭気成分を有効成分とする材質であればよく、また、無臭でも、鳥を忌避させる作用を有する成分を有効成分とする材質としてもよい。
【００４６】
また、上記実施形態において、基部及び突条部に揮発剤を含浸させていることを例にとって説明したが、基部または突条部のどちらか一方に含浸させてもよく、また全体でなく一部に含浸させてもよい。
【００４７】
また、上記実施形態において、膜の材質がポリウレタンやポリエチレンを例にとって説明したが、揮発剤の透過を制限できるような多孔質な材質であればよい。
【００４８】
また、上記実施形態において、膜が基部の上面及び突条部の表面を全部被覆することを例にとって説明したが、全部ではなく一部を被覆してもよく、また、基部の上面だけでなく、下面や側面を被覆してもよい。このようにすれば、膜の材質や厚みだけでなく、被覆する範囲により揮発剤の外部への放出量を調整することができる。
【図面の簡単な説明】
【００４９】
【図１】本発明の一実施形態に係る鳥類忌避具であって、（ａ）は、平面図、（ｂ）は、（ａ）のＡ−Ａ線における断面図を示す。
【図２】同実施形態に係る鳥類忌避具であって、（ａ）は、ベランダの手すりの上面に設置されている状態、（ｂ）は、鳥の趾（足指）が複数の突条部に跨って接触している状態を示す。
【符号の説明】
【００５０】
１…基部、２…突条部、３…膜、４…固定手段（接着シート）、Ｂ・・・手すり、Ｔ・・・趾（鳥の足指）
【図１】
2008113617.tif 000003
【図２】
2008113617.tif 000004